(57)【要約】【課題】画像処理装置から出力された画像データに対して付加価値の高いサービスを提供できるようにする。【解決手段】画像情報制御装置は、第２の画像を示す第２の画像情報を取得し、画像処理装置から、第１の画像６２を示す第１の画像情報を取得する。画像情報制御装置は、第１の画像６２から素材画像６３を抽出し、その抽出した素材画像と第２の画像とを特定の画像合成方法に従って合成する。画像情報制御装置は、合成処理で生成した合成画像６１、及びその合成画像で用いられている素材画像６３を示す使用素材情報、を含む画像である合成結果画像を画像処理装置で印刷出力させるための、合成結果画像情報を生成して、画像処理装置へ送信する。【選択図】図３
2015171082.tif 000002
【特許請求の範囲】
【請求項１】
制御部と、
通信インタフェースと、
を備え、前記制御部が前記通信インタフェースを介して画像処理装置と通信可能な画像情報制御装置であって、
前記制御部は、
前記画像処理装置から前記通信インタフェースを介して、第１の画像を示す第１の画像情報を取得する第１取得処理と、
前記画像処理装置から前記通信インタフェースを介して、前記第１の画像と合成させる第２の画像を指定する情報である第２画像情報識別情報を取得する第２取得処理と、
前記第２取得処理で取得した前記第２画像情報識別情報に基づいて、前記第２の画像を示す第２の画像情報を取得する第３取得処理と、
前記第１取得処理で取得した前記第１の画像情報が示す前記第１の画像のうち特定の第１領域の画像を素材画像として抽出し、その抽出した素材画像を示す素材画像情報と前記第３取得処理で取得した前記第２の画像情報とを予め決められた特定の画像合成方法に従って合成することにより、前記第２の画像と前記素材画像が合成された合成画像を示す合成画像情報を生成する合成処理と、
前記合成処理で生成した合成画像情報が示す前記合成画像、及びその合成画像で用いられている前記素材画像を示す使用素材情報、を含む画像である合成結果画像を前記画像処理装置で印刷出力させるための、前記合成結果画像を示す合成結果画像情報を生成する結果生成処理と、
前記結果生成処理で生成した前記合成結果画像情報を前記通信インタフェースを介して前記画像処理装置へ送信する送信処理と、
を実行することを特徴とする画像情報制御装置。
【請求項２】
請求項１に記載の画像情報制御装置であって、
前記使用素材情報は、前記第１の画像のうち少なくとも前記素材画像を含む特定の領域の画像である特定領域画像を含む
ことを特徴とする画像情報制御装置。
【請求項３】
請求項２に記載の画像情報制御装置であって、
前記使用素材情報は、前記特定領域画像中の前記素材画像に該当する領域に付加される素材領域明示画像を含む
ことを特徴とする画像情報制御装置。
【請求項４】
請求項１〜請求項３の何れか１項に記載の画像情報制御装置であって、
前記制御部は、
前記送信処理で前記合成結果画像情報を送信した後、前記画像処理装置から、前記合成画像の修正要求を示す修正要求情報を取得する第４取得処理と、
前記第４取得処理で取得した前記修正要求情報に基づき、前記第１取得処理で取得した前記第１の画像情報が示す第１の画像のうち前記第１領域とは異なる特定の第２領域の画像を、前記第２の画像に合成させる修正素材画像として抽出し、その抽出した修正素材画像を示す修正素材画像情報と前記第３取得処理で取得した前記第２の画像情報とを前記画像合成方法に従って合成することにより、前記第２の画像に前記修正素材画像が合成された修正合成画像を示す修正合成画像情報を生成する修正合成処理と、
前記修正合成処理で生成した前記修正合成画像情報を少なくとも含む画像情報を前記通信インタフェースを介して前記画像処理装置へ送信する再送信処理と、
を実行することを特徴とする画像情報制御装置。
【請求項５】
請求項４に記載の画像情報制御装置であって、
前記修正要求情報には、前記第１の画像のうちどの領域を前記第２領域とすべきかを示す領域指定情報が含まれており、
前記修正合成処理では、前記第１の画像のうち、前記領域指定情報が示す前記第２領域の画像を、前記修正素材画像として抽出する
ことを特徴とする画像情報制御装置。
【請求項６】
請求項５に記載の画像情報制御装置であって、
前記画像処理装置は、画像を読み取り可能な画像読取機能を備えており、
前記合成結果画像に含まれる前記使用素材情報は、前記第１の画像のうち少なくとも前記素材画像を含む特定の領域の画像である特定領域画像を含み、
前記修正要求情報は、前記画像処理装置により印刷出力された前記合成結果画像中の前記特定領域画像に対して前記領域指定情報が付加された画像である領域指定情報付加画像が、前記画像処理装置の前記画像読取機能により読み取られることによって生成される、領域指定情報付加画像情報であり、
前記制御部は、前記第４取得処理で前記修正要求情報として前記領域指定情報付加画像情報を取得した場合に、その領域指定情報付加画像情報から前記領域指定情報を認識してその認識結果に基づいて前記第１の画像のうち前記第２領域を特定する領域特定処理を実行し、
前記修正合成処理では、前記第１の画像のうち前記領域特定処理で特定した前記第２領域の画像を前記修正素材画像として抽出する
ことを特徴とする画像情報制御装置。
【請求項７】
請求項６に記載の画像情報制御装置であって、
前記制御部は、前記領域特定処理において前記領域指定情報付加画像情報から前記領域指定情報を正常に認識できなかった場合、特定の非認識時処理を実行する
ことを特徴とする画像情報制御装置。
【請求項８】
請求項４〜請求項７の何れか１項に記載の画像情報制御装置であって、
前記制御部は、前記修正合成処理の実行後、前記修正合成処理で生成した修正合成画像情報が示す前記修正合成画像、及びその修正合成画像で用いられている前記修正素材画像を示す修正使用素材情報、を含む画像である修正合成結果画像を前記画像処理装置で印刷出力させるための、前記修正合成結果画像を示す修正合成結果画像情報を生成する修正結果生成処理を実行し、
前記再送信処理では、前記修正結果生成処理で生成した前記修正合成結果画像情報を送信する
ことを特徴とする画像情報制御装置。
【請求項９】
制御部と通信インタフェースとを備え、前記制御部が前記通信インタフェースを介して画像処理装置と通信可能な画像情報制御装置において、前記制御部が実行可能なプログラムであって、
前記制御部に、
前記画像処理装置から前記通信インタフェースを介して、第１の画像を示す第１の画像情報を取得する第１取得処理と、
前記画像処理装置から前記通信インタフェースを介して、前記第１の画像と合成させる第２の画像を指定する情報である第２画像情報識別情報を取得する第２取得処理と、
前記第２取得処理で取得した前記第２画像情報識別情報に基づいて、前記第２の画像を示す第２の画像情報を取得する第３取得処理と、
前記第１取得処理で取得した前記第１の画像情報が示す前記第１の画像のうち特定の第１領域の画像を素材画像として抽出し、その抽出した素材画像を示す素材画像情報と前記第３取得処理で取得した前記第２の画像情報とを予め決められた特定の画像合成方法に従って合成することにより、前記第２の画像と前記素材画像が合成された合成画像を示す合成画像情報を生成する合成処理と、
前記合成処理で生成した合成画像情報が示す前記合成画像、及びその合成画像で用いられている前記素材画像を示す使用素材情報、を含む画像である合成結果画像を前記画像処理装置で印刷出力させるための、前記合成結果画像を示す合成結果画像情報を生成する結果生成処理と、
前記結果生成処理で生成した前記合成結果画像情報を前記通信インタフェースを介して前記画像処理装置へ送信する送信処理と、
を実行させるためのプログラム。
【請求項１０】
少なくとも画像を印刷出力する機能を有する画像処理装置と、
前記画像処理装置と通信可能な画像情報制御装置と、
を備え、
前記画像情報制御装置は、
通信インタフェースと、
前記通信インタフェースを介して前記画像処理装置と通信可能な制御部と、
を備え、
前記制御部は、
前記画像処理装置から前記通信インタフェースを介して、第１の画像を示す第１の画像情報を取得する第１取得処理と、
前記画像処理装置から前記通信インタフェースを介して、前記第１の画像と合成させる第２の画像を指定する情報である第２画像情報識別情報を取得する第２取得処理と、
前記第２取得処理で取得した前記第２画像情報識別情報に基づいて、前記第２の画像を示す第２の画像情報を取得する第３取得処理と、
前記第１取得処理で取得した前記第１の画像情報が示す前記第１の画像のうち特定の第１領域の画像を素材画像として抽出し、その抽出した素材画像を示す素材画像情報と前記第３取得処理で取得した前記第２の画像情報とを予め決められた特定の画像合成方法に従って合成することにより、前記第２の画像と前記素材画像が合成された合成画像を示す合成画像情報を生成する合成処理と、
前記合成処理で生成した合成画像情報が示す前記合成画像、及びその合成画像で用いられている前記素材画像を示す使用素材情報、を含む画像である合成結果画像を前記画像処理装置で印刷出力させるための、前記合成結果画像を示す合成結果画像情報を生成する結果生成処理と、
前記結果生成処理で生成した前記合成結果画像情報を前記通信インタフェースを介して前記画像処理装置へ送信する送信処理と、を実行する
ことを特徴とする画像情報制御システム。
【発明の詳細な説明】
【技術分野】
【０００１】
本発明は、画像処理装置とネットワークを介して通信可能な画像情報制御装置、この画像情報制御装置で実行されるプログラム、及び画像情報制御装置と画像処理装置を含む画像情報制御システムに関する。
【背景技術】
【０００２】
特許文献１に記載されている画像処理装置は、ウェブブラウザを内蔵しており、ウェブページをダウンロードして印刷する機能を備えている。また、当該画像処理装置は、原稿をスキャンして生成したスキャン画像データを、ＪＰＥＧやＢＭＰなどの特定のフォーマットに変換した上で、ウェブサーバに送信する機能を備えている。
【先行技術文献】
【特許文献】
【０００３】
【特許文献１】特開２００８−２２９９９３号公報
【発明の概要】
【発明が解決しようとする課題】
【０００４】
特許文献１に記載されているように、画像処理装置からウェブサーバへ画像データを送信する機能自体は、種々提案されている。
これに対し、画像処理装置から出力された画像データに対して、単なるフォーマット変換よりも複雑な画像処理を行うことによって付加価値の高いサービスを提供できるようにすることが望まれる。
【０００５】
本発明は上記課題に鑑みなされたものであり、画像処理装置から出力された画像データに対して付加価値の高いサービスを提供できるようにすることを目的とする。
【課題を解決するための手段】
【０００６】
上記課題を解決するためになされた本発明は、制御部と、通信インタフェースと、を備え、制御部が通信インタフェースを介して画像処理装置と通信可能な画像情報制御装置である。制御部は、第１取得処理と、第２取得処理と、第３取得処理と、合成処理と、結果生成処理と、送信処理と、を実行する。
【０００７】
第１取得処理は、画像処理装置から通信インタフェースを介して、第１の画像を示す第１の画像情報を取得する処理である。第２取得処理は、画像処理装置から通信インタフェースを介して、第１の画像と合成させる第２の画像を指定する情報である第２画像情報識別情報を取得する処理である。第３取得処理は、第２取得処理で取得した第２画像情報識別情報に基づいて、第２の画像を示す第２の画像情報を取得する処理である。合成処理は、第１取得処理で取得した第１の画像情報が示す第１の画像のうち特定の第１領域の画像を素材画像として抽出し、その抽出した素材画像を示す素材画像情報と第３取得処理で取得した第２の画像情報とを予め決められた特定の画像合成方法に従って合成することにより、第２の画像と素材画像が合成された合成画像を示す合成画像情報を生成する処理である。結果生成処理は、合成処理で生成した合成画像情報が示す合成画像、及びその合成画像で用いられている素材画像を示す使用素材情報、を含む画像である合成結果画像を画像処理装置で印刷出力させるための、合成結果画像を示す合成結果画像情報を生成する処理である。送信処理は、結果生成処理で生成した合成結果画像情報を通信インタフェースを介して画像処理装置へ送信する処理である。
【０００８】
本発明の画像情報制御装置では、合成処理により第２の画像と素材画像が合成された後、その合成結果を示す合成結果画像の情報（合成結果画像情報）が画像処理装置へ送信される。合成結果画像には、合成画像に加え、合成画像で用いられている素材画像（つまり第２の画像情報に対して実際に合成された素材画像）を示す使用素材情報も含まれる。これにより、画像処理装置において合成結果画像が印刷出力されると、その印刷出力結果に基づいて、どのような合成画像が生成されたかを確認できるのに加え、第１の画像のうちどの領域が合成画像として合成されているのかを確認することができる。
【０００９】
そのため、合成結果画像を見ることで、生成された合成画像が意図する内容となっているかどうかを効率的に確認でき、その確認結果に応じた適切な対応ができる。よって、本発明の画像情報制御装置によれば、画像処理装置から出力された画像データに対して付加価値の高いサービスを提供することが可能となる。
【図面の簡単な説明】
【００１０】
【図１】実施形態の通信システムの概略構成を示すブロック図である。
【図２】画像合成処理の手順の概要を示す説明図である。
【図３】お試し印刷結果の一例を示す説明図である。
【図４】お試し印刷結果に対してユーザが赤ペンで領域を再指定した状態を示す説明図である。
【図５】多機能機の表示部に表示される各種画面例を示す説明図である。
【図６】通信システムで実行される各処理のシーケンスの一部を示すシーケンス図である。
【図７】通信システムで実行される各処理のシーケンスの一部（図６の続き）を示すシーケンス図である。
【図８】通信システムで実行される各処理のシーケンスの一部（図７の続き）を示すシーケンス図である。
【図９】通信システムで実行される各処理のシーケンスの一部（図８の続き）を示すシーケンス図である。
【図１０】通信システムで実行される各処理のシーケンスの一部（図９の続き）を示すシーケンス図である。
【図１１】図８のＳ３１０で実行される画像処理を示すフローチャートである。
【発明を実施するための形態】
【００１１】
以下に、本発明の好適な実施形態を図面に基づいて説明する。
（１）通信システム１の構成
図１に示すように、本実施形態の通信システム１は、多機能機１０と、仲介サーバ２０と、変換サーバ３０と、コンテンツサーバ５０とを備えている。多機能機１０は、ＬＡＮ２を介してインターネット４に接続されている。仲介サーバ２０、コンテンツサーバ５０、及び変換サーバ３０は、インターネット４に接続されている。
【００１２】
多機能機１０、仲介サーバ２０、変換サーバ３０、及びコンテンツサーバ５０は、例えば、ＨＴＴＰ（ＨｙｐｅｒＴｅｘｔ  Ｔｒａｎｓｆｅｒ  Ｐｒｏｔｏｃｏｌの略）又はＨＴＴＰＳ（ＨｙｐｅｒＴｅｘｔ  Ｔｒａｎｓｆｅｒ  Ｐｒｏｔｏｃｏｌ  Ｓｅｃｕｒｅの略）による通信を実行可能である。
【００１３】
より具体的には、多機能機１０は、ＨＴＴＰクライアントとして動作する。変換サーバ３０は、ＨＴＴＰサーバとして動作する。仲介サーバ２０は、多機能機１０との通信においてはＨＴＴＰサーバとして動作し、変換サーバ３０との通信においてはＨＴＴＰクライアントとして動作することで、ＬＡＮ２などに備えられたファイアウォールなどにより阻害されることなく、多機能機１０との通信、および変換サーバ３０との通信を行うことができる。
【００１４】
（２）多機能機１０の構成
多機能機１０は、印刷機能、スキャン機能、コピー機能、ＦＡＸ機能等の各種機能を実現するための各種処理を実行可能である。多機能機１０は、操作部１１と、表示部１２と、ネットワークインタ−フェース１３と、印刷実行部１４と、スキャン実行部１５と、制御部１６とを備える。
【００１５】
操作部１１は、複数のキーと、表示部１２の表示領域に重畳配置されたタッチパネルを有する。ユーザは、操作部１１を操作することによって、様々な指示を多機能機１０に入力することができる。表示部１２は、様々な情報を表示するためのディスプレイである。ネットワークインタ−フェース１３は、ＬＡＮ２に接続されている。多機能機１０は、ネットワークインタ−フェース１３を介して、仲介サーバ２０や変換サーバ３０などと通信をすることが可能である。印刷実行部１４は、インクジェット方式、レーザ方式等の印刷機構を備える。スキャン実行部１５は、ＣＣＤ、ＣＩＳ等のスキャン機構を備える。
【００１６】
制御部１６は、ＣＰＵ１７と、メモリ１８とを備える。ＣＰＵ１７は、メモリ１８に格納されているプログラム１９に従って、様々な処理を実行する。後述する図６〜図１０における多機能機１０の各処理は、ＣＰＵ１７がメモリ１８のプログラム１９を実行することにより実現される。メモリ１８は、コンピュータが読み取り可能なストレージ媒体であってよい。コンピュータが読み取り可能なストレージ媒体とは、ＲＯＭ、ＲＡＭ、フラッシュメモリ、ハードディスクなどのnon-transitoryな媒体である。なお、インターネット上のサーバなどからダウンロードされるプログラムを搬送する電気信号は、non-transitoryな媒体には含まれない。
【００１７】
（３）仲介サーバ２０の構成
仲介サーバ２０は、変換サーバ３０やコンテンツサーバ５０とは別体に構成されているサーバである。仲介サーバ２０は、変換サーバ３０と多機能機１０との間の、各種データの通信を仲介するためのサーバである。仲介サーバ２０は、多機能機１０のベンダによって提供されるサーバである。
【００１８】
仲介サーバ２０は、ネットワークインタ−フェース２１と、制御部２２とを備える。仲介サーバ２０は、ネットワークインタ−フェース２１を介して、多機能機１０、コンテンツサーバ５０、変換サーバ３０などと通信をすることが可能である。制御部２２は、ＣＰＵ２３と、メモリ２４と、を備える。メモリ２４には、プログラム２５が記憶されている。ＣＰＵ２３は、プログラム２５に従って、様々な処理を実行する。後述する図６〜図１０における仲介サーバ２０の各処理は、ＣＰＵ２３がメモリ２４のプログラム２５を実行することにより実現される。メモリ２４は、多機能機１０のメモリ１８と同様に、コンピュータが読み取り可能なストレージ媒体であってよい。
【００１９】
（４）変換サーバ３０の構成
変換サーバ３０は、仲介サーバ２０、コンテンツサーバ５０とは別体に構成されているサーバである。変換サーバ３０は、入力される画像データに対して後述する各種の処理を実行するためのサーバである。
【００２０】
変換サーバ３０は、多機能機１０のベンダによって提供されるサーバであってもよい。変換サーバ３０は、ネットワークインタ−フェース３１と、制御部３２とを備える。制御部３２は、ＣＰＵ３３と、メモリ３４とを備える。メモリ３４には、プログラム３５およびテンプレート４１が記憶されている。ＣＰＵ３３は、プログラム３５に従って様々な処理を実行する。後述する図６〜図１０における変換サーバ３０の各処理は、ＣＰＵ３３がメモリ３４のプログラム３５を実行することにより実現される。テンプレート４１には、画像処理に用いられる画像データとして、第３テンプレート画像データ４２が含まれる。メモリ３４は、多機能機１０のメモリ１８と同様に、コンピュータが読み取り可能なストレージ媒体であってよい。
【００２１】
プログラム３５は、画像処理を行うプログラムとして、Ａアプリケーション３６、Ｂアプリケーション３７、及びＣアプリケーション３８を含んでいる。なお、上記の第３テンプレート画像データ４２は、Ｃアプリケーション３８の実行時に用いられる。
【００２２】
Ａアプリケーション３６は、多機能機１０から出力された出力画像と、Ａアプリケーション用の第１テンプレート画像とを合成する処理を実行するためのアプリケーションである。具体的には、第１テンプレート画像に含まれている特定領域（例：透過領域）に、多機能機１０からの出力画像が合成される。
【００２３】
（５）コンテンツサーバ５０の構成
コンテンツサーバ５０は、仲介サーバ２０、変換サーバ３０とは別体に構成されているサーバである。コンテンツサーバ５０は、多機能機１０のベンダによって提供されるサーバであってもよい。コンテンツサーバ５０は、メモリ５１を備えている。メモリ５１には、テンプレート５２が記憶されている。
【００２４】
テンプレート５２には、第１テンプレート画像データ５３および第２テンプレート画像データ５４が含まれる。第１テンプレート画像データ５３は、前述した第１テンプレート画像を表示するための画像データである。第２テンプレート画像データ５４は、Ｂアプリケーション３７の実行時に用いられる画像データである。
【００２５】
変換サーバ３０がＡアプリケーション３６およびＢアプリケーション３７を実行する場合には、多機能機１０で選択されたテンプレート画像の画像データをコンテンツサーバ５０から取得する必要がある。一方、変換サーバ３０がＣアプリケーション３８を実行する場合には、多機能機１０で選択されたテンプレート画像の画像データを変換サーバ３０内のメモリ３４から読み出せばよいため、テンプレート画像の画像データをコンテンツサーバ５０から取得する必要はない。
【００２６】
ここで、本明細書における記載上の注意点を説明する。本明細書において、「仲介サーバ２０のＣＰＵ２３が、各種の情報を受信する」という記載は、「仲介サーバ２０のＣＰＵ２３が、ネットワークインタ−フェース２１を介して各種の情報を取得する」という技術内容を含んでいるものとする。また、「仲介サーバ２０のＣＰＵ２３が、各種の情報を送信する」という記載は、「仲介サーバ２０のＣＰＵ２３が、ネットワークインタ−フェース２１を介して各種の情報を出力する」という技術内容を含んでいるものとする。なお、変換サーバ３０のＣＰＵ３３およびネットワークインタ−フェース３１についても、同様の注意点が存在する。また、多機能機１０のＣＰＵ１７およびネットワークインタ−フェース１３についても、同様の注意点が存在する。
【００２７】
次に、「データ」および「情報」の文言の定義を説明する。本明細書では、「データ」と「情報」では「情報」を「データ」の上位概念として用いている。そのため、「Ａデータ」を「Ａ情報」と言い換えてもよい。また、「情報」は、「データ」としての形式（例えば、テキスト形式、バイナリ形式、フラグ形式等）が異なっていても、同一の意味内容と認識される限り、同一の情報として取り扱われる。例えば、印刷部数が２部であることを示す情報として装置が扱う限り、“ＣＯＰＹ＝２”というテキスト形式のデータと、“１０”というバイナリ形式のデータとは、同じ情報である。
【００２８】
本明細書では、仲介サーバ２０と変換サーバ３０とコンテンツサーバ５０とがインターネット４で接続されている形態（すなわち、仲介サーバ２０、変換サーバ３０、及びコンテンツサーバ５０の各々として機能する装置が物理的に離れた位置に配置されている形態）を例示しているが、本発明の適用はそのような形態に限られない。例えば、仲介サーバ２０と変換サーバ３０とコンテンツサーバ５０のうちの少なくとも２つが、１つのサーバ装置で実現されてもよい。例えば仲介サーバ２０と変換サーバ３０が１つのサーバ装置で実現される場合は、その１つのサーバ装置において、仲介サーバ２０として機能するプログラムと変換サーバ３０として機能するプログラムとを稼動させ、両プログラム間の通信をサーバ装置内のバスラインなどを介して行わせるようにしてもよい。なお、仲介サーバ２０と変換サーバ３０とが１つのサーバ装置で実現される構成の場合、本明細書で、仲介サーバ２０と変換サーバ３０との間の通信として説明している通信は、仲介サーバ２０として機能するプログラムと、変換サーバ３０として機能するプログラムとの間でのデータの受け渡しに置き換わることとしてよい。また、仲介サーバ２０として機能し、かつ変換サーバ３０としても機能するプログラムが、１つのサーバ装置で稼動する形態で実現されてもよい。この場合、本明細書で、仲介サーバ２０と変換サーバ３０との間の通信として説明している通信は、仲介サーバ２０として機能し、かつ変換サーバ３０としても機能するプログラム内でのデータの受け渡しに置き換わることとしてよい。
【００２９】
（６）通信システム１で実現されるお気に入り素材合成機能の説明
本実施形態の通信システム１は、複数種類の画像処理機能を実現可能である。即ち、通信システム１では、多機能機１０でスキャンした画像（スキャン画像）の画像データ（スキャン画像データ）を変換サーバ３０で画像処理させ、その結果を多機能機１０で取得して印刷出力させることが可能である。
【００３０】
画像処理機能の種類は種々あるが、そのうち少なくとも３つは、上述した３つのアプリケーション３６〜３８が実行されることにより実現される画像処理機能である。Ｂアプリケーション３７及びＣアプリケーション３８による画像処理機能については詳細説明を省略する。Ａアプリケーション３６による画像処理機能は、お気に入り素材合成機能である。お気に入り素材合成機能は、多機能機１０においてユーザがスキャンしたスキャン画像と、ユーザにより選択された特定のテンプレート画像とを合成し、その合成した画像（合成画像）を多機能機１０で印刷出力できるようにする機能である。
【００３１】
お気に入り素材合成機能による画像合成の具体的手順を説明する。多機能機１０のユーザは、お気に入り素材合成機能を利用したい場合、まず、多機能機１０においてＡアプリケーション３６の選択操作を行う。
【００３２】
次に、ユーザは、多機能機１０において、テンプレート画像を選択する。選択可能なテンプレート画像の選択肢は複数ある。どのようなテンプレート画像があるかについての情報はコンテンツサーバ５０から仲介サーバ２０を介して多機能機１０へ送信され（後述のＳ１３２（図６））、テンプレート選択画面として多機能機１０の表示部１２に表示される（後述のＳ１３４（図６））。テンプレート選択画面は、Ａアプリケーション３６に対応するテンプレート画像（第１テンプレート画像データが示す画像）の縮小画像（サムネイル画像）を一覧表示してその中から１つのテンプレート画像の選択操作を受け付けるための画面である。以下、テンプレート選択画面に一覧表示されたテンプレート画像の中からユーザにより選択されたテンプレート画像を、選択テンプレート画像という。
【００３３】
次に、ユーザは、選択テンプレート画像に合成させたい所望の素材の原稿をスキャンさせる。スキャンされた素材の原稿の画像（素材スキャン画像）のデータ（素材スキャン画像データ）は、多機能機１０から変換サーバ３０へ送信（アップロード）される。
【００３４】
図２の上段に、素材スキャン画像及び選択テンプレート画像の一例を示す。図２の例では、素材スキャン画像は植物の葉の画像である。なお、実際には緑色を主体としたカラー画像である。選択テンプレート画像は、主に年賀状での利用を想定した、動物の絵柄と文字とを含む画像である。選択テンプレート画像は、実際には、文字や絵柄などの実質的に画像情報として機能する画像領域は白色となっており、その他の領域（空白領域）の色はグレーとなっている。
【００３５】
多機能機１０において、素材スキャン画像データの送信、及びテンプレート画像の選択が行われると、変換サーバ３０が、素材スキャン画像データとテンプレート画像データとを合成する画像処理（合成処理）を行う。
【００３６】
合成処理は、具体的には次のように行われる。変換サーバ３０は、素材スキャン画像データが示す素材スキャン画像の中から、選択テンプレート画像と合成する特定の領域の画像（素材画像）を抽出する。素材スキャン画像全体から素材画像の抽出を行うアルゴリズムは予め決められている。変換サーバ３０は、そのアルゴリズムに従って、素材スキャン画像の中から素材画像を抽出する。
【００３７】
本実施形態では、図２の中段に例示するように、素材スキャン画像全体の中から特定の矩形領域内の画像が素材画像として抽出される。図２には、抽出パターンＡ〜Ｃの３つの抽出パターンが例示されている。
【００３８】
変換サーバ３０は、素材スキャン画像から素材画像を抽出すると、予め決められた画像合成方法によって、素材画像と選択テンプレート画像を合成する。本実施形態では、素材画像は素材スキャン画像の一部であり、選択テンプレート画像よりも画像サイズが小さい。そのため、本実施形態では、選択テンプレート画像の全領域に対して素材画像を縦横に連続配置させる。そして、選択テンプレート画像における白色の領域は、その白色の領域を優先させ、素材画像を表示させない。一方、選択テンプレート画像におけるグレーの領域は、素材画像を優先させて前面に出す。つまりグレーの領域に素材画像を露出させる。
【００３９】
このような画像合成方法によって合成処理された結果（合成画像）の一例を、図２の下段に示す。図２に示す３つの合成画像のうち、合成画像Ａは、抽出パターンＡで抽出された素材画像と選択テンプレート画像との合成結果である。合成画像Ｂは、抽出パターンＢで抽出された素材画像と選択テンプレート画像との合成結果である。合成画像Ｃは、抽出パターンＣで抽出された素材画像と選択テンプレート画像との合成結果である。いずれも、選択テンプレート画像に対して素材画像が縦横に連続的に複数配置されている。例えば合成画像Ａの場合、素材画像が４行６列に連続配置されている。
【００４０】
変換サーバ３０は、上記のように素材画像データと選択テンプレート画像データとの合成処理を行うことで、素材画像と選択テンプレート画像が合成された合成画像の合成画像データを生成する。変換サーバ３０は、合成画像データを生成すると、さらに、お試し印刷画像の画像データ（お試し印刷画像データ）を生成する。
【００４１】
お試し印刷画像とは、多機能機１０において印刷出力させるための画像であり、図３に例示するように、主に、印刷イメージ画像６１と、素材スキャン画像６２と、素材抽出領域画像６３と、注記画像６４とを有する。印刷イメージ画像６１は、実質的には上記合成処理により生成された合成画像そのものであり、最終的にはがきに印刷させた場合はこのような印刷結果が得られる、ということをユーザに提示するための画像である。素材スキャン画像６２は、多機能機１０でスキャンされて変換サーバ３０へ送信された素材スキャン画像である。素材抽出領域画像６３は、素材スキャン画像６２のうちどの領域が素材画像として用いられたかを示す画像である。素材抽出領域画像６３は、本実施形態では、素材スキャン画像６２中の素材画像に相当する領域を囲む矩形画像である。この矩形画像で囲まれた領域が素材画像として用いられていることを示している。注記画像６４は、お試し印刷画像の印刷結果を取得したユーザに対して、注意事項や次の操作などに関する情報を提示するための画像である。
【００４２】
ユーザは、印刷させたお試し印刷画像中の印刷イメージ画像６１を見て、それで問題なければ、そのまま本印刷（例えばはがきへの印刷）へ進めばよい。一方、印刷イメージ画像６１がユーザの意図しない内容となっている場合（例えば意図しない領域が素材画像として用いられている場合）、ユーザは、所望の領域を指定して画像合成をやり直しさせることができる。
【００４３】
具体的には、図４に示すように、印刷されているお試し印刷画像における、素材スキャン画像６２に対して、合成用の素材にしたい所望の領域を赤色のペン（筆記用具）で囲む。つまり、お試し印刷画像が印刷されている印刷媒体に、ユーザが直接、赤色のペンで囲み（矩形状の閉じたループ。以下「赤ペン囲み」という。）６５を記入する。図４では、赤ペン囲み６５を破線で示しているが、実際には、ユーザによって記入される赤色の線である。
【００４４】
一方、変換サーバ３０からお試し印刷画像データがダウンロードされると、多機能機１０の表示部１２には、図５（ａ）に示すような修正実行選択画面が表示される。この修正実行選択画面は、ユーザに対して画像合成の修正（やり直し）の意思表示を問うための画面であり、「はい」及び「いいえ」の選択肢が表示される。ユーザが「いいえ」を選択すると、通常の本印刷の処理へ進む。ユーザが「はい」を選択すると、表示部１２には、図５（ｂ）に示す修正原稿スキャン指示画面が表示される。この修正原稿スキャン指示画面は、ユーザが赤ペン囲み６５を記入したお試し印刷原稿を多機能機１０にセットしてスキャンさせるように指示するメッセージと「ＯＫ」ボタンが表示される。
【００４５】
ユーザが、赤ペン囲み６５を記入したお試し印刷原稿を多機能機１０にセットして、修正原稿スキャン指示画面の「ＯＫ」ボタンをタップすると、多機能機１０においてスキャンが実行され、そのスキャンされた画像（修正記入済みスキャン画像）のデータ（修正記入済みスキャン画像データ）が変換サーバ３０に送信（アップロード）される。
【００４６】
なお、印刷された印刷イメージ画像６１がユーザの意図しない内容となっているケースの１つとして、スキャン画像そのものが不適切な状態（例えば不明瞭になっていたり、色が再現されていないなど）になっていることもあり得る。その場合は、ユーザは、素材のスキャン自体をやり直すことも可能である。
【００４７】
変換サーバ３０は、多機能機１０から修正記入済みスキャン画像データを受信すると、赤ペン囲み６５の認識処理を行う。変換サーバ３０は、修正記入済みスキャン画像から、赤色又はそれに近い色で略矩形ループ状の画像を検出することにより、赤ペン囲み６５を認識する。またその際、単に赤ペン囲み６５のみを認識するだけではなく、素材スキャン画像６２全体におけるその赤ペン囲み６５で囲まれた領域を相対的に検出する。つまり、認識した赤ペン囲み６５と素材スキャン画像６２との相対的位置関係に基づいて、素材スキャン画像６２全体のうちどの領域を素材画像として用いるべきかの再認識も行う。
【００４８】
変換サーバ３０が赤ペン囲み６５を検出できなかった場合は、多機能機１０の表示部１２に、図５（ｃ）に示すような囲み領域検出エラー画面が表示される。赤ペン囲み６５を認識できない原因としては、例えば、赤色とは異なる色で囲まれていたり、囲みの形状が矩形状ではなかったり、複数箇所囲まれていたりすることなどが考えられる。
【００４９】
赤ペン囲み６５を認識できなかった場合に具体的にどのような処理を行うかについては種々考えられるが、本実施形態では、囲み領域検出エラー画面の表示に続いて（或いはその表示内容に加えて）、例えば「再度お試し印刷を実行」及び「再度スキャン」という選択肢（不図示）を表示させて、ユーザにどちらが適切か選択させるようにしている。そして、ユーザが例えば「再度お試し印刷を実行」を選択した場合は、先に生成したお試し印刷画像データが多機能機１０へ再送信される。同じお試し印刷画像データが再度多機能機１０へ送信されると、多機能機１０ではお試し印刷画像が再度印刷出力される。これにより、ユーザは、赤ペン囲み６５を記入し直して再スキャンさせることができる。逆に、ユーザが「再度スキャン」を選択した場合は、手順の最初（素材の原稿のスキャン）に戻る。
【００５０】
なお、図５（ｃ）に示す囲み領域検出エラー画面の内容と共に（あるいはその画面の表示後に表示内容を切り替えて）、検出できなかった原因やユーザへのアドバイスなどを表示させるようにしてもよい。例えば、赤ペンでの記入箇所が全く検出されなかった場合は、「正しい色のペンで囲っているか確認してください」というメッセージを表示させるようにしてもよい。また例えば、赤ペンでの記入箇所は存在していたものの囲み（閉じたループ）が存在していなかった場合は、「四角になるよう囲んでいるか確認してください」というメッセージを表示させるようにしてもよい。また例えば、囲みが２箇所以上検出された場合は、「１箇所のみしか囲うことができません」というメッセージを表示させるようにしてもよい。
【００５１】
変換サーバ３０は、赤ペン囲み６５を認識して、その認識結果に基づいて素材スキャン画像（既に前回の画像合成で取得済み）から素材画像を再抽出すると、その再抽出した新たな素材画像と選択テンプレート画像の合成処理を行う。これにより、素材画像が修正された新たな合成画像の合成画像データが生成され、更に、その新たな合成画像データを含む新たなお試し印刷画像のデータが生成される。このようにして生成された新たなお試し印刷画像データは、多機能機１０へ送信され、印刷出力される。多機能機１０では、前回の印刷出力時と同様、印刷出力されたお試し印刷画像を見て、合成画像が意図する内容になっているかどうかを確認することができる。
【００５２】
（７）通信システム１の動作
通信システム１の動作を、図６〜図１０のシーケンス図を用いて説明する。なお、以下の説明では、図６〜図１０に連続的に示す動作例のうち、図６に示す一連の処理（Ｓ１１０〜Ｓ１３６）を、総称して初期選択処理という。また、図７に示す一連の処理（Ｓ２０２〜Ｓ２３２）を、総称してスキャンアップロード処理という。また、図８に示す一連の処理（Ｓ３００〜Ｓ３２６）を、総称して変換処理という。また、図９に示す一連の処理（Ｓ４０２〜Ｓ４２０）を、総称してダウンロードプリント処理という。また、図１０に示す一連の処理（Ｓ５０２〜Ｓ５１６）を、総称して修正受付処理という。
【００５３】
図６の初期選択処理から順次説明する。多機能機１０のＣＰＵ１７は、電源投入され、メイン画面を表示させる命令を受け付けると、Ｓ１１０で、表示部１２にメイン画面を表示させる。メイン画面は、例えば、アプリケーション機能及びメニュー機能のうち何れか一方を選択させるための画面であり、選択可能な各機能を示す画像及びその機能名称が表示される。アプリケーション機能は、年賀状の宛名面や裏面の画像を生成する処理などの、応用的な加工を行う機能である。メニュー機能は、多機能機１０の各種の設定を行うための処理を行う機能である。
【００５４】
多機能機１０において何れかの機能を選択する操作（例えば対応する機能の画像へのタップ操作）がなされると、Ｓ１１２で、ＣＰＵ１７は、選択された機能を示す機能識別情報を仲介サーバ２０へ送信する。
【００５５】
仲介サーバ２０のＣＰＵ２３は、多機能機１０から機能識別情報を受信すると、Ｓ１１４で、機能識別情報が示す機能を判断する。メニュー機能が示されている場合は（Ｓ１１４：メニュー機能）、メニュー機能実行処理が行われる。メニュー機能実行処理の処理内容については、省略する。一方、アプリケーション機能が示されている場合は（Ｓ１１４：アプリケーション機能）、Ｓ１１６へ進む。
【００５６】
仲介サーバ２０のＣＰＵ２３は、Ｓ１１６で、アプリケーション選択画面データを生成する。アプリケーション選択画面は、多機能機１０に表示させる画面であって、複数のアプリケーション機能のうちいずれかのアプリケーション機能の選択を受け付けるための画面である。アプリケーション選択画面には、Ａアプリケーション３６、Ｂアプリケーション３７、及びＣアプリケーション３８を示す画像が含まれる。仲介サーバ２０のＣＰＵ２３は、Ｓ１１８で、アプリケーション選択画面データを多機能機１０へ送信する。
【００５７】
多機能機１０のＣＰＵ１７は、仲介サーバ２０からアプリケーション選択画面データを受信すると、Ｓ１２０で、アプリケーション選択画面を表示部１２に表示させる。多機能機１０のユーザは、操作部１１を操作して、アプリケーション選択画面の中から所望のアプリケーションを表す画像を選択（例えばタップ操作）することができる。ユーザによりアプリケーションを表す画像の選択操作がなされると、多機能機１０のＣＰＵ１７は、Ｓ１２２で、アプリケーション識別情報を仲介サーバ２０へ送信する。アプリケーション識別情報は、ユーザによって選択されたアプリケーションである選択アプリケーションを識別するための情報である。
【００５８】
Ｓ１２４で、仲介サーバ２０のＣＰＵ２３は、アプリケーション識別情報に基づいて選択アプリケーションを識別し、選択アプリケーションに対応するテンプレート一覧情報取得要求情報を生成する。テンプレート一覧情報取得要求情報は、選択アプリケーションに対応するテンプレート画像の一覧を表示させるために必要な情報であるテンプレート一覧情報を、コンテンツサーバ５０に要求するための情報である。
【００５９】
ここで、選択アプリケーションがＡアプリケーション３６であるものと仮定して、Ｓ１２４以下の説明を行う。Ａアプリケーション３６は、既述の通り、お気に入り素材合成機能を実現するためのアプリケーションである。仲介サーバ２０のＣＰＵ２３は、Ｓ１２６で、テンプレート一覧情報取得要求情報をコンテンツサーバ５０に送信する。選択アプリケーションがＡアプリケーション３６であるため、Ｓ１２６は、コンテンツサーバ５０に対し、第１テンプレート画像の一覧を表示させるためのテンプレート一覧情報を要求する処理となる。
【００６０】
仲介サーバ２０のＣＰＵ２３は、Ｓ１２８で、コンテンツサーバ５０から送信されてくるテンプレート一覧情報を受信する。Ｓ１３０では、テンプレート選択画面を表示させるためのテンプレート選択画面データを生成する。テンプレート選択画面データは、Ｓ１２８で受信したテンプレート一覧情報に基づいて生成される。Ｓ１３２では、テンプレート選択画面データを多機能機１０へ送信する。
【００６１】
多機能機１０のＣＰＵ１７は、仲介サーバ２０からテンプレート選択画面データを受信すると、Ｓ１３４で、テンプレート選択画面を表示部１２に表示させる。ここで表示されるテンプレート選択画面は、既述の通り、Ａアプリケーション３６に対応する複数のテンプレート画像（第１テンプレート画像データが示す画像）のサムネイル画像を含む。
【００６２】
ユーザは、操作部１１を操作して、複数のサムネイル画像の中から、使用したいテンプレート画像に対応するサムネイル画像を選択する。これにより、ユーザが画像合成を望む１つのテンプレート画像（選択テンプレート画像）が選択される。本実施形態では、図２の上段に例示したテンプレート画像がユーザに選択されたことを前提として説明を続ける。
【００６３】
多機能機１０のＣＰＵ１７は、Ｓ１３６で、選択テンプレート画像を識別するためのテンプレート識別情報を仲介サーバ２０へ送信する。
Ｓ１３６の処理後は、図７のスキャンアップロード処理に進む。仲介サーバ２０のＣＰＵ２３は、図７のスキャンアップロード処理に進むと、Ｓ２０２で、画像処理アップロード用データＩＤ取得要求情報を変換サーバ３０へ送信する。画像処理アップロード用データＩＤ取得要求情報は、多機能機１０から変換サーバ３０へアップロードさせるアップロードデータを識別するための画像処理アップロード用データＩＤ（以下「ＵＬ−ＩＤ」と略す）を、変換サーバ３０に対して要求するための情報である。Ｓ２０４で、変換サーバ３０のＣＰＵ３３は、ＵＬ−ＩＤを仲介サーバ２０に送信する。
【００６４】
Ｓ２０６で、仲介サーバ２０のＣＰＵ２３は、スキャンアップロード実行命令情報を生成する。スキャンアップロード実行命令情報は、多機能機１０に対し、素材にしたい原稿をスキャンしてその素材スキャン画像（アップロードデータ）を変換サーバ３０へアップロードするよう命令する情報である。Ｓ２０８で、仲介サーバ２０のＣＰＵ２３は、スキャンアップロード実行命令情報を多機能機１０へ送信する。スキャンアップロード実行命令情報には、ＵＬ−ＩＤが含まれていてもよい。
【００６５】
Ｓ２０９で、多機能機１０のＣＰＵ１７は、原稿スキャン指示画面を表示部１２に表示させる。原稿スキャン指示画面には、ユーザに対し、素材にしたい原稿を多機能機１０にセットしてスキャンさせるように指示するメッセージと「ＯＫ」ボタンが表示される。ユーザが「ＯＫ」ボタンを操作（例えばタップ操作）すると、Ｓ２１０で、原稿のスキャンが実行される。Ｓ２１０では、ＣＰＵ１７は、スキャン実行部１５を動作させて、原稿の画像を読み取らせ、読み取った画像（素材スキャン画像）のデータ（素材スキャン画像データ）を作成する。
【００６６】
Ｓ２１２で、多機能機１０のＣＰＵ１７は、画像処理アップロード先ＵＲＬ（Uniform Resource Locator）取得要求情報および通信書式取得要求情報を、仲介サーバ２０へ送信する。「画像処理アップロード」とは、各種のデータを、画像処理のために変換サーバ３０へアップロードする処理である。画像処理アップロード先ＵＲＬ取得要求情報は、変換サーバ３０にアップロードを行うために必要な情報である画像処理アップロード先ＵＲＬを仲介サーバ２０へ要求するための情報である。通信書式取得要求情報は、後述するアップロードメッセージの通信書式を要求するための情報である。
【００６７】
Ｓ２１４で、仲介サーバ２０のＣＰＵ２３は、アップロードメッセージの通信書式を作成する。アップロードメッセージの通信書式は、変換サーバ３０へ素材スキャン画像データをアップロードする際のメッセージの枠組みとなる情報である。Ｓ２１６で、仲介サーバ２０のＣＰＵ２３は、画像処理アップロード先ＵＲＬおよびアップロードメッセージの通信書式を多機能機１０へ送信する。画像処理アップロード先ＵＲＬの一例としては、変換サーバ３０のＵＲＬが挙げられる。
【００６８】
Ｓ２１８で、多機能機１０のＣＰＵ１７は、受信した通信書式と、受信した画像処理アップロード先ＵＲＬと、Ｓ２１０で作成した素材スキャン画像データとに基づいて、アップロードメッセージを作成する。具体的には、多機能機１０は、仲介サーバ２０から受信した通信書式の所定の位置に、素材スキャン画像データ（バイナリデータ）と、画像処理アップロード先ＵＲＬと、素材スキャン画像データのデータサイズ等の各種の情報を組み合わせる。ＵＬ−ＩＤを含めてもよい。これにより、変換サーバ３０に対応したアップロードメッセージが作成される。
【００６９】
Ｓ２２０で、多機能機１０のＣＰＵ１７は、変換サーバ３０へアップロードメッセージを送信する。Ｓ２２２で、変換サーバ３０のＣＰＵ３３は、画像処理アップロード結果情報を多機能機１０へ送信する。画像処理アップロード結果情報は、素材スキャン画像データが変換サーバ３０に正常にアップロードされたか否かを示す情報である。Ｓ２２４で、多機能機１０のＣＰＵ１７は、受信した画像処理アップロード結果情報と継続可否判断要求情報とを、仲介サーバ２０へ送信する。継続可否判断要求情報は、画像処理を継続可能であるか否かの判断を仲介サーバ２０に要求するための情報である。
【００７０】
Ｓ２２６で、仲介サーバ２０のＣＰＵ２３は、画像処理アップロード結果情報を解読し、解読結果を作成する。画像処理アップロード結果情報は、変換サーバ３０から多機能機１０へ送信されてきた情報であるため、変換サーバ３０に固有の仕様を有している。よって、仲介サーバ２０に記憶されているプログラム２５に含まれる不図示の解読プログラムを用いることにより、画像処理アップロード結果情報を解読することができる。解読結果は、多機能機１０で解読可能な形式のメッセージである。解読結果には、解読された画像処理アップロード結果情報に含まれている画像処理アップロード結果が含まれている。また、仲介サーバ２０のＣＰＵ２３は、画像処理を継続可能であるか否かについての情報である継続可否情報を、解読結果に基づいて生成する。例えば、解読結果がアップロード処理の失敗を示している場合には、画像処理を継続不可能であることを示す継続可否情報が生成される。Ｓ２２８で、仲介サーバ２０のＣＰＵ２３は、解読結果および継続可否情報を多機能機１０へ送信する。
【００７１】
Ｓ２３０で、多機能機１０のＣＰＵ１７は、受信した継続可否情報に基づいて、画像処理（合成処理）を継続可能であるか否かを判断する。画像処理を継続できない場合は（Ｓ２３０：ＮＯ）、選択されたアプリケーションの処理を終了する。画像処理を継続できる場合は（Ｓ２３０：ＹＥＳ）、Ｓ２３２へ進む。Ｓ２３２で、多機能機１０のＣＰＵ１７は、変換サーバ３０へのスキャン画像データのアップロード処理が完了したことを示すアップロード完了通知情報を、仲介サーバ２０へ送信する。
【００７２】
Ｓ２３２の処理後は、図８の変換処理に進む。仲介サーバ２０のＣＰＵ２３は、図８の変換処理に進むと、Ｓ３００で、画像処理用入力情報を生成する。画像処理用入力情報は、変換サーバ３０で画像処理（ここでは画像合成）を実行させるために必要な情報である。具体的には、画像処理用入力情報には、素材スキャン画像のＵＬ−ＩＤと、選択テンプレートパラメータと、選択アプリケーションパラメータとを含む。
【００７３】
素材スキャン画像のＵＬ−ＩＤは、多機能機１０へ素材スキャン画像のスキャンを指示（Ｓ２０８）する際にその指示に先立って変換サーバ３０から取得したＵＬ−ＩＤ、即ちＳ２０４で取得したＵＬ−ＩＤである。選択アプリケーションパラメータは、ユーザによって選択された選択アプリケーションを一意に識別するための情報である。選択アプリケーションパラメータにより、画像処理を実行させるアプリケーション（本例ではアプリケーションＡ）を指定することが可能となる。選択テンプレートパラメータは、ユーザによって選択された選択テンプレート画像を一意に識別するための情報である。選択テンプレートパラメータは、ＵＲＬの記述方式によって記述されていてもよい。
【００７４】
Ｓ３０２で、仲介サーバ２０のＣＰＵ２３は、お試し印刷画像処理要求情報と、Ｓ３００で生成した画像処理用入力情報を、変換サーバ３０へ送信する。お試し印刷画像処理要求情報は、Ｓ２０４で受信したＵＬ−ＩＤで識別される素材スキャン画像データ（すなわち、Ｓ２２０で変換サーバ３０にアップロードしたアップロードデータ）に対して、画像処理（合成処理）の実行を要求するための情報である。また、Ｓ３０２で画像処理用入力情報を変換サーバ３０に送信することで、変換サーバ３０は、素材スキャン画像のＵＬ−ＩＤに基づいて素材スキャン画像データを取得でき、選択テンプレートパラメータに基づいて選択テンプレート画像データをコンテンツサーバ５０から取得でき、選択アプリケーションパラメータに基づいて、実行すべき画像処理（アプリケーション）がＡアプリケーション３６の画像処理（即ち画像の合成処理）であることを認識できる。
【００７５】
Ｓ３０４で、変換サーバ３０のＣＰＵ３３は、処理データ取得情報を仲介サーバ２０へ送信する。処理データ取得情報は、画像処理の実行を要求する処理（Ｓ３０２）に応じて行われる画像処理を識別するための情報である、画像処理ジョブＩＤを含んでいてもよい。処理データ取得情報は、ＵＲＬの記述方式によって記述されていてもよい。
【００７６】
Ｓ３０６で、変換サーバ３０のＣＰＵ３３は、テンプレート取得要求情報をコンテンツサーバ５０へ送信する。テンプレート取得要求情報は、選択テンプレートパラメータによって識別される選択テンプレート画像データをコンテンツサーバ５０から取得するための情報である。Ｓ３０８で、変換サーバ３０のＣＰＵ３３は、選択テンプレート画像データをコンテンツサーバ５０から取得する。そして、Ｓ３１０で、Ａアプリケーション３６による画像処理、即ち、素材スキャン画像データと選択テンプレート画像データの合成処理を開始する。Ｓ３１０で開始される画像処理の詳細は、後で説明する。
【００７７】
Ｓ３１２〜Ｓ３２６の処理は、素材スキャン画像データについて画像処理を開始する際に、画像処理が完了するまで多機能機１０を待機させる処理である。Ｓ３１２で、仲介サーバ２０のＣＰＵ２３は、画像処理完了確認要求情報を変換サーバ３０へ送信する。画像処理完了確認要求情報は、Ｓ３０２で変換サーバ３０に対して要求した画像処理が完了したか否かを、変換サーバ３０に対して確認するための情報である。仲介サーバのＣＰＵ２３は、画像処理を識別するために、画像処理完了確認要求情報に、Ｓ３０４で変換サーバ３０が送信した処理データ取得情報を含ませる。
【００７８】
Ｓ３１４で、変換サーバ３０のＣＰＵ３３は、画像処理が完了したか否かを判断する。具体的には、画像処理完了確認要求情報に含まれる処理データ取得情報に対応する画像処理を、画像処理の完了の可否を判断する画像処理であると特定する。そして、特定した画像処理において、素材スキャン画像データと選択テンプレート画像データとの合成が完了したか否かが判断される。画像処理が完了していない場合は（Ｓ３１４：ＮＯ）、Ｓ３１６へ進む。
【００７９】
Ｓ３１６で、変換サーバ３０のＣＰＵ３３は、画像処理が完了していないことを示す画像処理未完了通知情報を、仲介サーバ２０へ送信する。Ｓ３１８で、仲介サーバ２０のＣＰＵ２３は、画像処理未完了通知情報を受信したことに基づき、待機命令を生成する。待機命令は、多機能機１０に対し、画像処理の完了を待機させるための命令である。
【００８０】
Ｓ３２０で、仲介サーバ２０のＣＰＵ２３は、待機命令を多機能機１０へ送信する。Ｓ３２２で、多機能機１０のＣＰＵ１７は、画像処理の完了を待機する待機処理を実行する。Ｓ３２４で、多機能機１０のＣＰＵ１７は、待機処理の実行が完了したことを示す待機処理完了情報を、仲介サーバ２０へ送信する。仲介サーバ２０のＣＰＵ２３は、Ｓ３２０で待機命令を送信した後、多機能機１０からの待機処理完了情報の受信を待つ。そして、Ｓ３２４で多機能機１０から待機処理完了情報を受信すると、Ｓ３１２へ戻る。
【００８１】
一方、変換サーバ３０において、Ｓ３１４で画像処理が完了したと判断された場合は（Ｓ３１４：ＹＥＳ）、Ｓ３２６へ進む。Ｓ３２６では、変換サーバ３０のＣＰＵ３３は、画像処理が完了したこと、即ち素材スキャン画像と選択テンプレート画像との合成が完了したことを示す画像処理完了通知情報を、仲介サーバ２０へ送信する。Ｓ３２６の処理後は、図９のダウンロードプリント処理へ進む。
【００８２】
ここで、Ｓ３１０で開始される画像処理の詳細について、図１１を用いて説明する。変換サーバ３０のＣＰＵ３３は、図１１に示す画像処理を開始すると、Ｓ６０２で、入力に素材スキャン画像と選択テンプレート画像（詳しくはそれらのデータ）が含まれているか否か判断する。より具体的には、Ｓ３０２で取得した画像処理用入力情報に素材スキャン画像のＵＬ−ＩＤ及び選択テンプレートパラメータが含まれているか否か判断する。入力として、素材スキャン画像（具体的にはそのＵＬ−ＩＤ）及び選択テンプレート画像（具体的にはその選択テンプレートパラメータ）のうち一方でも欠けている場合は（Ｓ６０２：ＮＯ）、Ｓ６１８で、入力画像エラー処理を実行し、お気に入り素材合成機能の処理全体を終了する。
【００８３】
入力として素材スキャン画像及び選択テンプレート画像が含まれている場合は（Ｓ６０２：ＹＥＳ）、Ｓ６０４で、入力に修正記入済みスキャン画像（詳しくはそのデータ）が含まれているか否か判断する。より具体的には、Ｓ３０２で取得した画像処理用入力情報に修正記入済みスキャン画像のＵＬ−ＩＤが含まれているか否か判断する。修正記入済みスキャン画像とは、図４に例示したように、お試し印刷原稿に対してユーザが赤ペン囲み６５を記入した画像が多機能機１０によりスキャンされた画像である。入力に修正記入済みスキャン画像が含まれていない場合は（Ｓ６０４：ＮＯ）、Ｓ６１０に進む。Ｓ６１０では、素材スキャン画像から、既述のアルゴリズムに基づき、素材画像として扱う範囲（抽出すべき範囲）を算出する。Ｓ６１０で素材画像の範囲を算出した後は、Ｓ６１２に進む。
【００８４】
Ｓ６０４で、入力に修正記入済みスキャン画像が含まれている場合は（Ｓ６０４：ＹＥＳ）、Ｓ６０６で、修正記入済みスキャン画像から赤ペン囲みが検出できたか否か判断する。赤ペン囲みが検出できなかった場合は（Ｓ６０６：ＮＯ）、Ｓ６２０で、囲み検出エラー処理を実行して、お気に入り素材合成機能の処理全体を終了する。Ｓ６２０の囲み検出エラー処理は、具体的には、図５（ｃ）に例示したような囲み領域検出エラー画面を多機能機１０の表示部１２に表示させるための情報を仲介サーバ２０を介して多機能機１０へ送信する処理を含む。囲み領域検出エラー画面を表示させた後の処理例については既に述べた通りである。
【００８５】
Ｓ６０６で、赤ペン囲みを検出できた場合は（Ｓ６０６：ＹＥＳ）、Ｓ６０８に進む。Ｓ６０８では、修正記入済みスキャン画像中の赤ペン囲みから、素材画像として扱う範囲を算出する。即ち、素材スキャン画像と、その素材スキャン画像に記入されている赤ペン囲みとの相対的位置関係に基づいて、新たに抽出すべき素材画像の範囲を算出する。
【００８６】
Ｓ６１２では、Ｓ６０８又はＳ６１０で算出した素材画像の範囲に基づいて、スキャン画像から素材画像（詳しくはその画像データ）を抽出する。Ｓ６０８からＳ６１２に進んできた場合には、Ｓ６１２では、赤ペンで囲まれた領域の画像が素材画像として抽出し直されることになる。
【００８７】
Ｓ６１４では、選択テンプレート画像と、Ｓ６１２で抽出した素材画像とを、予め決められた画像合成方法によって合成することにより、合成画像（合成画像データ）を生成する。本実施形態では、図２を用いて例示した画像合成方法によって合成する。
【００８８】
Ｓ６１６では、Ｓ６１４で生成した合成画像データを含むお試し印刷画像（図３参照）の画像データ（お試し印刷画像データ）を生成する。Ｓ６０８を経てＳ６１６に進んできた場合は、お試し印刷画像データ中の素材抽出領域画像６３は、赤ペン囲みによって囲まれていた領域を示す画像となる。Ｓ６１６でお試し印刷画像データを生成すると、画像処理を終了する。
【００８９】
仲介サーバ２０のＣＰＵ２３は、図９のダウンロードプリント処理に進むと、Ｓ４０２で、処理データ取得命令情報を生成する。なお、Ｓ４０２〜Ｓ４２０は、変換サーバ３０で画像処理により生成されたお試し印刷画像データを多機能機１０で印刷出力させるための処理である。処理データ取得命令情報は、ＵＲＬの記述方式によって記述されていてもよい。
【００９０】
仲介サーバ２０のＣＰＵ２３は、処理データ取得命令情報を生成すると、Ｓ４０４で、処理データ取得命令情報を多機能機１０へ送信する。Ｓ４０６で、多機能機１０のＣＰＵ１７は、ダウンロード元ＵＲＬ要求情報および処理データ取得情報要求情報を仲介サーバ２０へ送信する。ダウンロード元ＵＲＬ要求情報は、Ｓ３１２で画像処理完了確認が行われた処理データ（本例ではお試し印刷画像データ）にアクセスするためのダウンロード元ＵＲＬを、仲介サーバ２０に対して要求する情報である。また処理データ取得情報要求情報は、Ｓ３１２で画像処理完了確認が行われた処理データを生成したジョブを識別するための情報である。
【００９１】
Ｓ４０８で、仲介サーバ２０のＣＰＵ２３は、変換サーバ３０から処理データを取得するためのダウンロード元ＵＲＬおよび処理データ取得情報を生成し、多機能機１０へ送信する。Ｓ４１０で、多機能機１０のＣＰＵ１７は、処理データ取得情報で識別される処理データをダウンロードするためのダウンロード要求情報を、ダウンロード元ＵＲＬに基づいて、変換サーバ３０へ送信する。Ｓ４１２で、変換サーバ３０のＣＰＵ３３は、ダウンロード要求情報によって特定される処理データを、多機能機１０へ送信する。このＳ４１２の送信処理により、多機能機１０へお試し印刷画像データが送信される。
【００９２】
Ｓ４１４で、多機能機１０のＣＰＵ１７は、印刷実行部１４に印刷処理を実行させる。即ち、変換サーバ３０による画像処理で生成されたお試し印刷画像を印刷用紙に印刷させる。お試し印刷画像の印刷出力が終了すると、多機能機１０のＣＰＵ１７は、Ｓ４１６で、印刷処理が完了したことを示す印刷完了通知情報を仲介サーバ２０へ送信する。Ｓ４１８で、仲介サーバ２０のＣＰＵ２３は、処理完了通知情報を多機能機１０へ送信する。Ｓ４２０で、多機能機１０のＣＰＵ１７は、完了画面を表示部１２に表示させる。
【００９３】
Ｓ４２０の処理後は、図１０の修正受付処理に進む。仲介サーバ２０のＣＰＵ２３は、図１０の修正受付処理に進むと、Ｓ５０２で、修正実行選択画面データを生成する。修正実行選択画面データは、図５（ａ）に例示したような修正実行選択画面を多機能機１０に表示させるためのデータである。Ｓ５０４で、仲介サーバ２０のＣＰＵ２３は、生成した修正実行選択画面データを多機能機１０へ送信する。
【００９４】
多機能機１０のＣＰＵ１７は、仲介サーバ２０から修正実行選択画面データを受信すると、Ｓ５０６で、その修正実行選択画面データが示す修正実行選択画面を表示部１２に表示させる。多機能機１０のＣＰＵ１７は、Ｓ５０８で、修正実行選択画面で表示された「はい」及び「いいえ」の選択肢のうちどちらが選択された判断する。「いいえ」が選択された場合は（Ｓ５０８：ＮＯ）、Ｓ５０９に進み、お試し印刷後通常処理を実行する。即ち、変換サーバ３０で最終的に生成された合成画像の画像データを変換サーバ３０から多機能機１０へ送信させる。これにより、多機能機１０において、その合成画像を所望の印刷媒体（例えばはがき）に印刷させることができる。
【００９５】
修正実行選択画面が表示されている状態で「はい」が選択された場合は（Ｓ５０８：ＹＥＳ）、多機能機１０のＣＰＵ１７は、Ｓ５１０で、修正実行選択情報を仲介サーバ２０へ送信する。一方、修正実行選択画面において「はい」が選択されたということは、多機能機１０のユーザが画像合成のやり直しを要求しているということであるため、ユーザによる、お試し印刷原稿への修正の記入（赤ペン囲みの記入）が行われる（Ｓ５１２）。そして、Ｓ５１４で、その赤ペン囲みが記入されたお試し印刷原稿（修正記入済みお試し印刷原稿）を対象とした、スキャンアップロード処理が実行される。即ち、修正記入済みお試し印刷原稿を対象として、図７に示したスキャンアップロード処理が実行される。
【００９６】
修正記入済みお試し印刷原稿を対象としたスキャンアップロード処理においては、Ｓ２０４では、修正記入済みお試し原稿のスキャン画像に対するＵＬ−ＩＤが取得される。つまり、先の素材スキャン画像のアップロード時に取得したＵＬ−ＩＤとは別のＵＬ−ＩＤである。また、Ｓ２０６では、スキャンアップロード実行命令情報として、修正記入済みお試し印刷原稿をスキャンしてそのスキャン画像（修正記入済みスキャン画像）を変換サーバ３０へアップロードするよう命令する情報が生成される。また、Ｓ２０９では、修正記入済みお試し印刷原稿のスキャン指示を示す画像が表示され、Ｓ２１０では、ユーザにより、修正記入済みお試し印刷原稿のスキャンが実行される。そして、Ｓ２１２では、修正記入済みスキャン画像のアップロード先のＵＲＬが要求され、Ｓ２２０では、修正記入済みスキャン画像データを含むアップロードメッセージが変換サーバ３０へ送信される。
【００９７】
このように、お試し印刷原稿の印刷出力後、ユーザから修正要求があった場合は、Ｓ５１４において、修正記入済みお試し原稿に対するスキャンアップロード処理が実行される。即ち、ユーザが真に素材画像として採用してほしい領域を赤ペンで囲んだスキャン画像が、変換サーバ３０へ送信される。
【００９８】
Ｓ５１４の、修正記入済みお試し印刷原稿を対象としたスキャンアップロード処理が実行された後は、Ｓ５１６に進む。Ｓ５１６では、既に前回送信されている素材スキャン画像のＵＬ−ＩＤ、修正記入済みスキャン画像のＵＬ−ＩＤ、選択テンプレートパラメータ、及び選択アプリケーションパラメータを入力情報に含めた、変換処理（図８）が実行される。
【００９９】
Ｓ５１６で実行される変換処理、即ち、修正記入済みお試しスキャン画像の送信後に実行される変換処理は、基本的には図８に示す通りであるが、素材スキャン画像に対して実行される最初の変換処理と比較して、主に次の点が異なる。即ち、Ｓ３００で生成される画像処理用入力情報には、素材スキャン画像のＵＬ−ＩＤ、選択テンプレートパラメータ、及び選択アプリケーションパラメータに加えて、修正記入済みスキャン画像のＵＬ−ＩＤも含まれる。これにより、変換サーバ３０は、素材スキャン画像データ及び選択テンプレート画像データを取得できるのに加え、修正記入済みスキャン画像データも取得できる。
【０１００】
そのため、Ｓ３１０の画像処理（詳細は図１１）において、Ｓ６０４で肯定判定され、赤ペン囲みが検出されると（Ｓ６０６：ＹＥＳ）、赤ペンで囲まれた領域が素材画像として抽出されて画像合成が再び行われることになる。そして、赤ペンで囲まれた領域に対応した素材画像にて画像合成が行われた後は、その合成画像データを含むお試し印刷画像データが、図９のダウンロードプリント処理によって多機能機１０へ送信されることになる。この場合、お試し印刷画像中に表示される素材抽出領域画像６３（図３参照）は、新たに抽出された素材画像の領域、即ち赤ペン囲みによってユーザにより指定された領域を示す画像となる。
【０１０１】
（８）実施形態の効果
以上説明したように、本実施形態の通信システム１では、変換サーバ３０で合成処理が実行されることにより、選択テンプレート画像と素材画像が合成される。そして、その合成された合成画像を含むお試し印刷画像の画像データが多機能機１０へ送信される。お試し印刷画像には、図３に例示したように、合成画像である印刷イメージ画像６１に加え、多機能機１０から送信されてきた素材スキャン画像６２と、素材抽出領域画像６３と、注記画像６４とが含まれる。素材抽出領域画像６３は、素材スキャン画像６２のうちどの領域を素材として抽出し合成に用いたかを示す情報である。このようなお試し印刷画像の画像データが変換サーバ３０で生成されて多機能機１０へ送信されることで、多機能機１０では、お試し印刷画像を印刷出力できる。
【０１０２】
多機能機１０でお試し印刷画像が印刷出力されると、多機能機１０のユーザは、その印刷出力結果に基づいて、どのような合成画像が生成されたかを確認できるのに加え、スキャンした素材のスキャン結果（素材スキャン画像）を確認でき、更に、素材スキャン画像のうち具体的にどの領域が素材画像として抽出されて合成に用いられているのかを視覚的に直接且つ容易に確認することができる。
【０１０３】
そのため、お試し印刷画像を見ることで、生成された合成画像（印刷イメージ画像６１）が意図する内容となっているかどうかを容易且つ効率的に確認でき、その確認結果に応じた適切な対応ができる。例えば、合成画像が意図した内容になっている場合は、その合成画像を用いた各種の応用処理（例えば所望の印刷用紙への印刷）を行うことができる。また例えば、合成画像が意図した内容になっていない場合は、変換サーバ３０に対して直接又は仲介サーバ２０を介して画像合成のやり直しを要求することができる。従って、多機能機１０から送信された画像データ（素材スキャン画像）に対して付加価値の高いサービスを提供することが可能となる。
【０１０４】
また、本実施形態では、変換サーバ３０で画像合成が行われて多機能機１０へお試し印刷画像データが送信された後、多機能機１０から画像合成のやり直し（修正）を要求することができる。具体的には、図４に例示したように、素材スキャン画像６２のうちユーザが真に素材として使って欲しい領域をユーザ自身が赤ペンで囲む（赤ペン囲み６５）。そして、その赤ペン囲み６５が記入されたお試し印刷の原稿を再スキャンしてその再スキャン結果（修正記入済みスキャン画像データ）を送信する。これにより、変換サーバ３０において、修正記入済みスキャン画像データに基づいて、素材スキャン画像から赤ペン囲み６５が認識され、その赤ペン囲み６５で囲まれた領域が素材画像として新たに抽出される。変換サーバ３０は、素材スキャン画像に対して直接記入されている赤ペン囲み６５を認識することで、素材画像として抽出すべき領域（ユーザが望む領域）を的確に抽出することができる。そして、その新たに抽出された素材画像と、既に取得済みの素材スキャン画像とが合成されて、新たな合成画像が生成される。
【０１０５】
新たに生成された合成画像についても、最初に生成された合成画像と同様、お試し印刷画像として多機能機１０へ送信される。その際、新たに生成された合成画像（印刷イメージ画像６１）と、素材スキャン画像６２と、新たに抽出された素材画像の領域を示す素材抽出領域画像６３とを少なくとも含むお試し印刷画像の画像データが多機能機１０へ送信される。
【０１０６】
そのため、多機能機１０のユーザは、最初の合成結果が意図する内容となっていなかった場合（例えば素材スキャン画像中の意図する領域が素材画像として抽出されていなかった場合）、素材画像として用いて欲しい領域を直接的且つ具体的に指示することができ、その指示が反映された新たな合成結果を得ることができる。
【０１０７】
また、変換サーバ３０は、修正記入済みスキャン画像データの中から赤ペン囲み６５を正常に認識できなかった場合は、エラー処理を行う（Ｓ６２０）。具体的には、図５（ｃ）に例示したようなメッセージを多機能機１０の表示部１２に表示させる。更に、エラーメッセージに加えて、お試し印刷画像データの再送信又はスキャンのやり直しのどちらかを多機能機１０のユーザに選択させて、その選択結果に応じた処理を行うこともできる。そのため、赤ペン囲み６５が認識できなかった場合にも、多機能機１０に対して適切な情報提示を行うことができる。
【０１０８】
なお、本実施形態において、通信システム１は本発明の画像情報制御システムの一例に相当する。多機能機１０は本発明の画像処理装置の一例に相当する。仲介サーバ２０のＣＰＵ２３及び変換サーバ３０のＣＰＵ３３は本発明の制御部の一例に相当する。素材スキャン画像は本発明の第１の画像の一例に相当する。選択テンプレート画像は本発明の第２の画像の一例に相当する。テンプレート識別情報（Ｓ１３６）は本発明の第２画像情報識別情報の一例に相当する。お試し印刷画像は本発明の合成結果画像及び修正合成結果画像の一例に相当する。お試し印刷画像中の素材スキャン画像６２（図３）は本発明の特定領域画像の一例に相当する。お試し印刷画像中の素材抽出領域画像６３（図３）は本発明の素材領域明示画像の一例に相当し、その素材抽出領域画像６３で囲まれた領域は本発明の第１領域の一例に相当する。赤ペン囲み６５は本発明の領域指定情報の一例に相当し、その赤ペン囲み６５で囲まれた領域は本発明の第２領域の一例に相当する。修正記入済みスキャン画像データは本発明の領域指定情報付加画像情報の一例に相当する。
【０１０９】
［他の実施形態］
（１）変換サーバ３０における、素材スキャン画像から素材画像を抽出するアルゴリズムは種々ありえる。即ち、素材スキャン画像全体のうちどの領域を素材画像として抽出するかについては適宜決めることができ、図２の中段に示した例はあくまでも一例である。
【０１１０】
また、素材画像と選択テンプレート画像の画像合成方法についても、種々の方法が考えられる。上記実施形態では、素材画像を選択テンプレート画像中に複数配列させる画像合成方法を示したが、そのような合成方法はあくまでも一例である。素材画像をいくつ用いるか、また、複数用いる場合にはそれらをどのように配列するか、などについては、適宜決めることができる。素材画像そのものを複数種類抽出して（つまり素材スキャン画像から異なる複数箇所の素材画像を抽出して）それら複数の素材画像を適宜配置するようにしてもよい。選択テンプレート画像が白色（絵柄や文字）とグレー（空白領域）の２色構成であることや、画像合成において選択テンプレート画像中のグレーの領域に素材画像を露出させることもあくまでも一例である。
【０１１１】
（２）素材スキャン画像の中からどの領域が素材画像として抽出されたかをユーザに示す方法として、図３に示した、その領域を囲む矩形状の素材抽出領域画像６３を表示させる方法は、あくまでも一例である。他の表示方法を用いて抽出領域をユーザに示すようにしてもよい。
【０１１２】
（３）お試し印刷画像に対してユーザが画像合成のやり直しを指示させる場合に、素材画像として用いたい所望の領域を再指定する方法についても、図４に示したような、所望の領域を赤ペン囲み６５で囲む方法はあくまでも一例である。他の指定方法を用いて、素材画像として使って欲しい領域を指定できるようにしてもよい。
【０１１３】
（４）素材スキャン画像を多機能機１０から複数アップロードして、各々の素材スキャン画像に基づいて画像合成させて、各々の画像合成結果（お試し印刷画像）を取得できるようにしてもよい。その場合、複数のお試し印刷画像の印刷結果のうち何れか１つ又は複数について、それぞれ赤ペン囲みで素材領域を再指定できるようにしてもよい。
【０１１４】
（５）その他、本発明は、上記の実施形態に示された具体的手段や構造等に限定されるものではなく、本発明の要旨を逸脱しない範囲において種々の形態を採り得る。例えば、上記の実施形態の構成の一部を、同様の機能を有する公知の構成に置き換えたり、他の実施形態の構成に対して付加、置換等したり、課題を解決できる限りにおいて省略したりしてもよい。また、上記の複数の実施形態を適宜組み合わせて構成してもよい。
【符号の説明】
【０１１５】
１…通信システム、２…ＬＡＮ、４…インターネット、１０…多機能機、１１…操作部、１２…表示部、１３，２１，３１…ネットワークインタ−フェース、１４…印刷実行部、１５…スキャン実行部、１６，２２，３２…制御部、１８，２４，３４，５１…メモリ、１９，２５，３５…プログラム、２０…仲介サーバ、３０…変換サーバ、３６…Ａアプリケーション、３７…Ｂアプリケーション、３８…Ｃアプリケーション、４１，５２…テンプレート、４２…第３テンプレート画像データ、５０…コンテンツサーバ、５３…第１テンプレート画像データ、５４…第２テンプレート画像データ、６１…印刷イメージ画像、６２…素材スキャン画像、６３…素材抽出領域画像、６５…赤ペン囲み。
【図１】
2015171082.tif 000003
【図５】
2015171082.tif 000004
【図６】
2015171082.tif 000005
【図７】
2015171082.tif 000006
【図８】
2015171082.tif 000007
【図９】
2015171082.tif 000008
【図１０】
2015171082.tif 000009
【図１１】
2015171082.tif 000010
【図２】
2015171082.tif 000011
【図３】
2015171082.tif 000012
【図４】
2015171082.tif 000013